(57)【要約】【課題】本発明はフレキシブルプリント配線板用コネクタ装置に関し、接続の信頼性の向上を図ることを課題とする。【解決手段】ハウジング５１に組み込んであるコンタクト部材７０と、アクチュエータ８０とを有する。コンタクト部材７０は、上側顎部７１と下側コンタクト部７２とを有する。アクチュエータ８０は、カム部８１と操作部８２とが対向する辺をなす四角の枠形状である。フレキシブルプリント配線板４０を挿入してアクチュエータを操作すると、カム部８１が挿入口の方向に移動されて、カム部８１と下側コンタクト部７２ａとがフレキシブルプリント配線板４０を挟む。【選択図】　　　　図４
2004039480.tif 000002
【特許請求の範囲】
【請求項１】
フレキシブルプリント配線板が挿入される挿入口を有するハウジングと、
顎部とコンタクト部とを有し、該顎部とコンタクト部との間隔が接続されるフレキシブルプリント配線板の厚さよりも広くあいており、上記のハウジングに設けてあるコンタクト部材と、
カム部と操作部とを有し、該ハウジングに設けてあり、上記カム部が顎部よりもハウジングの奥側の位置から上記挿入口の方向に移動されて顎部とコンタクト部との間に入り込んで、該コンタクト部と該カム部との間隔をフレキシブルプリント配線板の厚さよりも狭くするアクチュエータとよりなり、
上記カム部とコンタクト部とが挿入されたフレキシブルプリント配線板を挟む構成としたことを特徴とするフレキシブルプリント配線板用コネクタ装置。
【請求項２】
フレキシブルプリント配線板が挿入される挿入口を有するハウジングと、
上側顎部と下側コンタクト部とを有し、上側顎部と下側コンタクト部との間隔が接続されるフレキシブルプリント配線板の厚さよりも広く開いており、上側顎部と下側コンタクト部とが上記挿入口の近くに位置して、上記のハウジングに設けてあるコンタクト部材と、
カム部と操作部とを有し、該ハウジングに設けてあり、上記カム部が上側顎部よりもハウジングの奥側の位置から上記挿入口の方向に移動されて上側顎部の下側に入り込んで、該下側コンタクト部と該カム部との間隔をフレキシブルプリント配線板の厚さよりも狭くするアクチュエータとよりなり、
上記カム部と下側コンタクト部とが挿入されたフレキシブルプリント配線板を挟む構成としたことを特徴とするフレキシブルプリント配線板用コネクタ装置。
【請求項３】
請求項２記載のフレキシブルプリント配線板用コネクタ装置において、
上記アクチュエータは、上記カム部と上記操作部とが対向する辺をなす四角の枠形状であり、上記カム部の両端が上記ハウジングに支持されており、上記操作部が上記カム部に対して上記挿入口とは反対側に位置しており、斜めの状態から水平の状態に回動される構成であり、
上記ハウジングは、上面側に、水平の状態に回動されたアクチュエータの操作部が収まる収容部を有する構成であることを特徴とするフレキシブルプリント配線板用コネクタ装置。
【請求項４】
フレキシブルプリント配線板が挿入される挿入口を有するハウジングと、
上側顎部とこれと対向する下側コンタクト部とを有し、上側顎部と下側コンタクト部との間隔が接続されるフレキシブルプリント配線板の厚さよりも広く開いており、上側顎部と下側コンタクト部とが上記挿入口の近くに位置して、上記のハウジングに設けてあるコンタクト部材と、
カム部を有し、上記ハウジングにその奥側と上記挿入口との方向に摺動可能に支持されており、上記カム部が上側顎部よりもハウジングの奥側の位置から上記挿入口の方向に移動されて上側顎部の下側に入り込んで、該下側コンタクト部と該カム部との間隔をフレキシブルプリント配線板の厚さよりも狭くするアクチュエータとよりなり、
上記カム部と下側コンタクト部とが挿入されたフレキシブルプリント配線板を挟む構成としたことを特徴とするフレキシブルプリント配線板用コネクタ装置。
【請求項５】
請求項４記載のフレキシブルプリント配線板用コネクタ装置において、
上記アクチュエータは、挿入されたフレキシブルプリント配線板を引いたときに該フレキシブルプリント配線板と共に挿入口の方向に移動される構成としたことを特徴とするフレキシブルプリント配線板用コネクタ装置。
【発明の詳細な説明】
【０００１】
【発明の属する技術分野】
本発明はフレキシブルプリント配線板用コネクタ装置に係り、携帯電話機、デジタルカメラ等の電子機器の内部に使用されるフレキシブルプリント配線板用コネクタ装置に関する。
【０００２】
【従来の技術】
図１（Ａ），（Ｂ）は実開平６−７７１８６号公報に記載されているフレキシブルプリント配線板用コネクタ装置１０を示す。Ｘ１−Ｘ２は幅方向、Ｙ１はフレキシブルプリント配線板を挿入する方向、Ｙ２はフレキシブルプリント配線板を引き抜く方向である。Ｚ１−Ｚ２は高さ方向である。コネクタ装置１０は、ハウジング１１と、ハウジング１１内に並んで組み込んであるコンタクト部材２０と、垂直の姿勢から水平の姿勢に倒されるアクチュエータ３０とを有する。コンタクト部材２０は、上側の顎部２１と下側のコンタクト部２２とを有する。
【０００３】
図１（Ａ）に示すように、フレキシブルプリント配線板（ＦＰＣ）４０をハウジング１１内に挿入して、アクチュエータ３０をＹ２方向に倒す操作をする。これによって、図１（Ｂ）に示すように、アクチュエータ３０のカム部３１が顎部２１の下側に入り込んで、フレキシブルプリント配線板４０をカム部３１とコンタクト部２２との間に挟み込み、フレキシブルプリント配線板４０がコネクタ装置１０に接続される。
【０００４】
【発明が解決しようとする課題】
この構成のフレキシブルプリント配線板用コネクタ装置１０は以下の問題があった。
【０００５】
▲１▼　接続されたフレキシブルプリント配線板４０が力Ｆ２でＹ２方向に強く引かれたときに、カム部３１に作用する力はカム部３１が顎部２１とコンタクト部２２との間から抜け出す方向、即ち、接続の状態を不安定とする方向となり、好ましくない。
【０００６】
▲２▼　コネクタ装置１０から延びているフレキシブルプリント配線板４０が図１（Ｂ）中二点鎖線で示すようにＺ１方向に引き回された場合には、フレキシブルプリント配線板４０がアクチュエータ３０に当たってこれを押し上げようとして、接続の状態を不安定とする虞れがある。
【０００７】
そこで、本発明は、上記課題を解決したフレキシブルプリント配線板用コネクタ装置を提供することを目的とする。
【０００８】
【課題を解決するための手段】
請求項１の発明は、フレキシブルプリント配線板が挿入される挿入口を有するハウジングと、
顎部とコンタクト部とを有し、顎部とコンタクト部との間隔が接続されるフレキシブルプリント配線板の厚さよりも広くあいており、上記のハウジングに設けてあるコンタクト部材と、
カム部と操作部とを有し、該ハウジングに設けてあり、上記カム部が顎部よりもハウジングの奥側の位置から上記挿入口の方向に移動されて顎部とコンタクト部との間に入り込んで、該コンタクト部と該カム部との間隔をフレキシブルプリント配線板の厚さよりも狭くするアクチュエータとよりなり、
上記カム部とコンタクト部とが挿入されたフレキシブルプリント配線板を挟む構成としたものである。
【０００９】
接続されているフレキシブルプリント配線板を引っ張ったときに、カム部に作用する力はカム部が顎部とコンタクト部との間に更に食い込む方向となって接続の状態が更にきつくされる方向となる。
【００１０】
請求項２の発明は、フレキシブルプリント配線板が挿入される挿入口を有するハウジングと、
上側顎部と下側コンタクト部とを有し、上側顎部と下側コンタクト部との間隔が接続されるフレキシブルプリント配線板の厚さよりも広く開いており、上側顎部と下側コンタクト部とが上記挿入口の近くに位置して、上記のハウジングに設けてあるコンタクト部材と、
カム部と操作部とを有し、該ハウジングに設けてあり、上記カム部が上側顎部よりもハウジングの奥側の位置から上記挿入口の方向に移動されて上側顎部の下側に入り込んで、該下側コンタクト部と該カム部との間隔をフレキシブルプリント配線板の厚さよりも狭くするアクチュエータとよりなり、
上記カム部と下側コンタクト部とが挿入されたフレキシブルプリント配線板を挟む構成としたものである。
【００１１】
請求項３の発明は、請求項２記載のフレキシブルプリント配線板用コネクタ装置において、
上記アクチュエータは、上記カム部と上記操作部とが対向する辺をなす四角の枠形状であり、上記カム部の両端が上記ハウジングに支持されており、上記操作部が上記カム部に対して上記挿入口とは反対側に位置しており、斜めの状態から水平の状態に回動される構成であり、
上記ハウジングは、上面側に、水平の状態に回動されたアクチュエータの操作部が収まる収容部を有する構成としたものである。
【００１２】
コネクタ装置から延びているフレキシブルプリント配線板が上方向に引き回された場合でも、フレキシブルプリント配線板はアクチュエータの操作部には当たらず、フレキシブルプリント配線板の引き回しはアクチュエータの操作部に影響を与えない。
【００１３】
請求項４の発明は、フレキシブルプリント配線板が挿入される挿入口を有するハウジングと、
上側顎部とこれと対向する下側コンタクト部とを有し、上側顎部と下側コンタクト部との間隔が接続されるフレキシブルプリント配線板の厚さよりも広く開いており、上側顎部と下側コンタクト部とが上記挿入口の近くに位置して、上記のハウジングに設けてあるコンタクト部材と、
カム部を有し、上記ハウジングにその奥側と上記挿入口との方向に摺動可能に支持されており、上記カム部が上側顎部よりもハウジングの奥側の位置から上記挿入口の方向に移動されて上側顎部の下側に入り込んで、該下側コンタクト部と該カム部との間隔をフレキシブルプリント配線板の厚さよりも狭くするアクチュエータとよりなり、
上記カム部と下側コンタクト部とが挿入されたフレキシブルプリント配線板を挟む構成としたものである。
【００１４】
請求項５の発明は、請求項４記載のフレキシブルプリント配線板用コネクタ装置において、
上記アクチュエータは、挿入されたフレキシブルプリント配線板を引いたときに該フレキシブルプリント配線板と共に挿入口の方向に移動される構成としたものである。
【００１５】
フレキシブルプリント配線板を挿入した後にアクチュエータを操作する必要は無く、よって、フレキシブルプリント配線板の接続を作業性良く行うことが可能となる。
【００１６】
【発明の実施の形態】
各図中、Ｘ１−Ｘ２は幅方向、Ｙ１はフレキシブルプリント配線板を挿入する方向、Ｙ２はフレキシブルプリント配線板を引き抜く方向である。Ｚ１−Ｚ２は高さ方向である。
【００１７】
［第１実施例］
図２（Ａ）、（Ｂ）及び図４（Ａ）乃至（Ｄ）は本発明の第１実施例のフレキシブルプリント配線板用コネクタ装置５０を示す。コネクタ装置５０は、下側にコンタクト部を有する下コンタクトタイプであって、アクチュエータを操作することによって接触圧力をうる加圧タイプであり、絶縁材料製のハウジング５１と、ハウジング５１内にＸ１−Ｘ２方向に並んで組み込んである複数のコンタクト部材７０と、回動させるように操作させるアクチュエータ８０とを有する。
【００１８】
ハウジング５１は、偏平の箱形状であり、底板部５２、上板部５３、側板部５４、５５を有し、Ｙ２方向端側にフレキシブルプリント配線板挿入口５６を有する。ハウジング５１のＹ１方向端側は背面壁５７であり、ここに、コンタクト部材６０を組み込むスリット５８が並んで形成してある。５９は背面壁５７の一部であり、ストッパである。上板部５３のＹ１端側には、アクチュエータ８０の操作部８２を収める収容部６０が凹段状に形成してある。収容部６０のＹ２側は凹状部６０ａとなっている。側板部５４、５５には、アクチュエータ８０を支持するための、Ｚ２方向に凹状の開口５４ａ，５５ａが形成してある。
【００１９】
コンタクト部材７０は、図４（Ａ）に示すように、上側顎部７１と下側コンタクト腕部７２とがＹ２方向に延びてＵ字形状をなし、且つ、Ｕ字形状の基の部分からＹ２方向に外部端子部７３が延びている形状である。上側顎部７１は先端にＺ２方向に突き出た円形部７１ａを有する。下側コンタクト腕部７２の先端の下側コンタクト部７２ａが上側顎部７１と対向している。このコンタクト部材７０は、ハウジング５１にその背面壁５７から挿入されて組み込まれており、Ｕ字形状の底部がスリット５８に当たっている。上側顎部７１は上板部５３の下面に当たっており、Ｚ１方向への撓みが制限されている。下側コンタクト腕部７２はＺ１方向へ曲がっており、底板部５２から浮いており、Ｚ２方向へ弾性的に撓むことが可能である。
【００２０】
アクチュエータ８０は、図３に示すように、棒状のカム部８１と棒状の操作部８２と、両側の腕部８３，８４とよりなる四角の枠形状であり、カム部８１の両端側を開口５４ａ，５５ａに支持されて、カム部８１が上側顎部７１の位置でハウジング５１をＸ１−Ｘ２方向に貫通し、操作部８２がハウジング５１の上方に位置している。アクチュエータ８０は、図２（Ａ）に示す位置と図２（Ｂ）に示す位置との間で開口５４ａ，５５ａを中心にＣ，ＣＣ方向に回動可能である。カム部８１は、開口５４ａ，５５ａの範囲でＹ１−Ｙ２方向に移動可能である。
【００２１】
カム部８１は、断面形状がＹ１側に尖った略楔形状であり、凹状の上面８１ａとＺ２方向に凸状の下面８１ｂとを有する。
【００２２】
アクチュエータ８０が図２（Ｂ）に示すように斜めの状態では、カム部８１と円形部７１ａとは、図４（Ｂ）に示すように、カム部８１が円形部７１ａのＹ１側に位置する関係となる。カム部８１とコンタクト部７２ａとの間の間隔の寸法ａは、顎部７１とコンタクト部７２ａとの間の間隔の寸法ａ１０と略同じであり、フレキシブルプリント配線板４０の端部の厚さｔ１０より大きい。
【００２３】
アクチュエータ８０がＣ方向に回動されると、カム部８１は円形部７１ａよりもＹ１側の位置から、尖った側を先頭にして、Ｙ２方向、即ち、挿入口５６の方向に移動されて、尖った側より円形部７１ａの下側に入り込み、上記の間隔が徐々に狭くなる。アクチュエータ８０が図４（Ａ）及び図２（Ａ）に示す最終位置まで回動されると、カム部８１が円形部７１ａの下側に入り込んだ状態となり、間隔の寸法はｂとなって、前記の厚さｔ１０より小さくなる。
【００２４】
フレキシブルプリント配線板４０を接続する操作は、次のように行う。図２（Ａ）及び図４（Ａ）に示す状態から、アクチュエータ８０の操作部８２を引き上げてアクチュエータ８０を図２（Ｂ）及び図４（Ｂ）に示す状態とし、フレキシブルプリント配線板４０を図４（Ｃ）に示すようにコネクタ装置６０内にストッパ５９に当たる位置まで挿入し、最後に、指先等で操作部８２をＺ２方向に押し付ける。
【００２５】
操作部８２を押し付ける操作によって、アクチュエータ８０がＣ方向に図４（Ｄ）に示す最終位置まで回動され、フレキシブルプリント配線板４０はカム部８１とコンタクト部７２ａとの間に挟まれ、下側コンタクト腕部７２が撓まされ、コンタクト部７２ａはコンタクト腕部７２に発生している弾性力によって端子パターン４１に所定の接触圧力Ｆ１０で押し当たった状態とされ、フレキシブルプリント配線板４０がコネクタ装置５０に接続される。
【００２６】
ここで、上側顎部７１は上板部５３の下面に当たっておりＺ１方向への撓みが制限されているので、下側コンタクト腕部７２が確実に撓まされ、接触圧力が確実に得られている。
【００２７】
また、操作部８２は、図４（Ｄ）に示すように、凹状部６０ａとクリック的に嵌合して収容部６０内に収まる。これによって、アクチュエータ８０が不用意にＣＣ方向に回動されてしまう事故が防止され、且つ、コネクタ装置５０はハウジング５１の高さと同じくなって、低背型となる。
【００２８】
なお、操作部８２を収容部６０から外してアクチュエータ８０をＣＣ方向に回動させて斜めとし、挟みを解除し、フレキシブルプリント配線板４０を引くことによって、フレキシブルプリント配線板４０の接続が解除される。
【００２９】
このコネクタ装置５０によれば、更に以下の特長を有する。
【００３０】
▲１▼　接続されたフレキシブルプリント配線板４０が力Ｆ１でＹ２方向に強く引かれたときに、カム部８１に作用する力はカム部８１が上側顎部７１とコンタクト部７２ａとの間に食い込む方向となり、即ち、接続の状態をきつくする方向となり、接続状態は不安定とはならずに、安定な状態が維持される。
【００３１】
▲２▼　コネクタ装置５０から延びているフレキシブルプリント配線板４０が図４（Ｄ）中二点鎖線で示すようにＺ１方向に引き回された場合に、フレキシブルプリント配線板４０が当たるのは、ハウジング５１の上板部５３のＹ２側の縁であり、アクチュエータ８０には当たらず、フレキシブルプリント配線板４０の接続の状態は少しも不安定となることはなく、安定に維持される。
【００３２】
［第２実施例］
図５、図６、図７（Ａ）、（Ｂ）及び図８（Ａ）乃至（Ｃ）は本発明の第２実施例のフレキシブルプリント配線板用コネクタ装置５０Ａを示す。コネクタ装置５０Ａは、下側にコンタクト部を有する下コンタクトタイプであって、図２のコネクタ装置５０とはアクチュエータが相違する構成であり、絶縁材料製のハウジング５１Ａと、ハウジング５１Ａ内にＸ１−Ｘ２方向に並んで組み込んである複数のコンタクト部材７０Ａと、フレキシブルプリント配線板によって動作されるアクチュエータ９０とを有する。
【００３３】
ハウジング５１Ａとコンタクト部材７０Ａとは、上記の図２のコネクタ装置５０のハウジング５１及びコンタクト部材７０と略同じである。
【００３４】
アクチュエータ９０は、図６に示すように略Ｌ字形状を有しており、カム部９１と、Ｙ２方向側の操作部９２とを有する。カム部９１は、上面がＹ２方向側が高くなるように傾斜したカム面９３となっており、下面がＹ２方向に斜めに尖っているギザギザ面９３である構成である。即ち、カム部９１は、Ｙ２側が狭く、Ｙ１側が広いテーパ状となっている。傾斜したカム面９３が上側顎部７１側に当たるようになっている。操作部９２の下側は傾斜面９４となっている。
【００３５】
このアクチュエータ９０は、図６に示すように、横側のピン９５，９６を、Ｙ２側からハウジング５１Ａの側板部５４、５５の内側面の溝部１００，１０１に嵌合されて、Ｚ２側から溝部１０３，１０４内に挿入されて固定されたコネクタ装置５０Ａの実装補強のための金具１１０によって抜け出しを制限されて、ハウジング５１Ａの内部のうち挿入口５６側に、限られた狭い範囲でＹ１−Ｙ２方向に移動可能に支持されている。また、アクチュエータ９０は限られた狭い範囲でＺ１−Ｚ２方向に自由度をもっている。
【００３６】
図７（Ａ）に示すように、アクチュエータ９０がＹ１方向に移動されており、且つ、Ｚ１方向に寄せられてカム面９３のうち低い部分が上側顎部７１に当たっている状態で、アクチュエータ９０のギザギザ面９３とコンタクト部７２ａとの間の間隔の寸法ａ１はフレキシブルプリント配線板４０の端部の厚さｔ１０より僅かに大きい。図７（Ｂ）に示すように、アクチュエータ９０がＹ２方向に移動されてカム面９３のうち高い部分が上側顎部７１に当たった状態では、上記の間隔の寸法ｂ１はフレキシブルプリント配線板４０の端部の厚さｔ１０より小さくなる。
【００３７】
フレキシブルプリント配線板４０を接続する操作は、次のように行う。図８（Ａ）に示すようにアクチュエータ９０がＹ１方向に操作部９２がハウジング５１Ａに当たる位置まで移動されている状態で、フレキシブルプリント配線板４０を図８（Ｂ）に示すように傾斜面９４によって案内させてコネクタ装置５０Ａ内にストッパ５９に当たる位置まで挿入し、その後に、フレキシブルプリント配線板４０をＹ２方向に少し引く。即ち、操作はワンアクションで済む。
【００３８】
ギザギザ面９３はＹ２方向に斜めに尖っている構成であるため、フレキシブルプリント配線板４０がＹ２方向に移動されるときに、フレキシブルプリント配線板４０がギザギザ面９３に喰いついて、図８（Ｃ）に示すように、アクチュエータ９０がＹ２方向に移動される。アクチュエータ９０がＹ２方向に移動されると、テーパ状のカム部９１がその狭い側から上側顎部７１の下側に入り込み、アクチュエータ９０とコンタクト部７２ａとの間の間隔が狭くされ、フレキシブルプリント配線板４０はアクチュエータ９０のカム部９１とコンタクト部７２ａとの間に挟まれ、下側コンタクト腕部７２がＺ２方向に撓まされ、フレキシブルプリント配線板４０はきつく挟まれ、固定されてそれ以上は引くことが出来なくなる。
【００３９】
コネクタ装置５０Ａは図８（Ｃ）に示す状態となって、コンタクト部７２ａがコンタクト腕部７２に発生している弾性力によって端子パターン４１に所定の接触圧力Ｆ１１で押し当たった状態とされて、フレキシブルプリント配線板４０がコネクタ装置５０Ａに接続される。
【００４０】
上記のようにフレキシブルプリント配線板４０を接続する操作は、フレキシブルプリント配線板４０を挿入して引く操作によって完了し、アクチュエータ９０を操作する必要はないため、操作性が良い。
【００４１】
なお、図８（Ｃ）に示す状態において、操作部９２をＹ１方向に押してアクチュエータ９０をＹ１方向に移動させて、アクチュエータ９０とコンタクト部７２ａとの間の間隔を広げ、操作部９２を押したままフレキシブルプリント配線板４０をＹ２方向に引くことによって、フレキシブルプリント配線板４０は引き出されてコネクタ装置５０Ａから外される。
【００４２】
上側顎部と下側コンタクト部とが逆の位置関係、即ち、下側顎部と上側コンタクト部との位置関係でもよい。
【００４３】
【発明の効果】
上述の如く、本発明によれば、ハウジングに、顎部とコンタクト部との間隔が接続されるフレキシブルプリント配線板の厚さよりも広くあいているコンタクト部材と、顎部とコンタクト部との間に入り込んでフレキシブルプリント配線板を挟むアクチュエータとを設けた構成であり、カム部が顎部よりもハウジングの奥側の位置から挿入口の方向に移動される構成であるため、接続されたフレキシブルプリント配線板が引っ張られたときに、カム部に作用する力はカム部が顎部とコンタクト部との間に更に食い込む方向となって接続の状態がきつくされ、よって、接続の信頼性を高めることが出来る。
【図面の簡単な説明】
【図１】従来のフレキシブルプリント配線板用コネクタ装置を示す図である。
【図２】本発明の第１実施例のフレキシブルプリント配線板用コネクタ装置を示す図である。
【図３】図２中のアクチュエータを示す図である。
【図４】図２のコネクタ装置の接続前の状態及び接続したときの状態を示す図である。
【図５】本発明の第２実施例のフレキシブルプリント配線板用コネクタ装置を示す図である。
【図６】図５のフレキシブルプリント配線板用コネクタ装置を分解して示す図である。
【図７】図５のフレキシブルプリント配線板用コネクタ装置においてアクチュエータの位置と間隔の変化を説明する図である。
【図８】図５のコネクタ装置にフレキシブルプリント配線板を接続するときの動作を示す図である。
【符号の説明】
４０　フレキシブルプリント配線板
５０、５０Ａ　フレキシブルプリント配線板用コネクタ装置
５１　ハウジング
６０　収容部
７０　コンタクト部材
７１　上側顎部
７２　下側コンタクト腕部
７２ａ　コンタクト部
８０，９０　アクチュエータ
８１，９１　カム部
８２，９２　操作部
【図１】
2004039480.tif 000003
【図２】
2004039480.tif 000004
【図３】
2004039480.tif 000005
【図４】
2004039480.tif 000006
【図５】
2004039480.tif 000007
【図６】
2004039480.tif 000008
【図７】
2004039480.tif 000009
【図８】
2004039480.tif 000010